(57)【要約】【課題】遊技機の受皿に払出された遊技価値を計数受入れ部へ運ぶ煩わしさを軽減する遊技装置及び計数補助具を提供する。【解決手段】計数補助具５０は、遊技装置２の計数受入れ部３０に載置された場合に貯留されるメダルを排出するために開放状態となることが可能なシャッタ５２を備える一方、シャッタ５２を閉鎖状態として持ち運び可能である。遊技機の受皿よりも計数受入れ部３０が上方に配置されても、計数補助具５０を受皿近辺に持ち運び、そのメダルを貯留して計数受入れ部３０に載置すれば遊技価値を計数受入れ部３０にて受入れられるようになり、メダルを計数受入れ部３０へ運ぶ煩わしさを軽減できる。【選択図】図８
2018201861.tif 000002
【特許請求の範囲】
【請求項１】
遊技価値が払出される遊技機の受皿よりも上方に配置されて遊技価値を受入れ可能な計数受入れ部を備えた遊技装置において、
前記計数受入れ部は、遊技価値を貯留可能な計数補助具を載置可能であり、
前記計数補助具は、遊技価値が貯留された状態で計数受入れ部に載置された場合に、その遊技価値を排出するために開放状態となることが可能なシャッタを有する一方、当該シャッタを閉鎖状態として持ち運び可能であることを特徴とする遊技装置。
【請求項２】
前記計数補助具は、前記シャッタが開放状態となった場合に排出される遊技価値が計数受入れ部にて受入れられる位置に、前記シャッタが閉鎖状態のまま載置可能であることを特徴とする請求項１に記載した遊技装置。
【請求項３】
払出通路を介して遊技価値を払出す払出手段を備え、
前記計数受入れ部は、その少なくとも一部の形状が前記払出通路の形状に対応しており、
前記計数補助具は、前記計数受入れ部に載置された場合に当該計数受入れ部に近接する箇所が、当該計数受入れ部の形状に対応していることを特徴とする請求項１または２に記載した遊技装置。
【請求項４】
前記計数補助具は、遊技機の受皿へ侵入可能なサイズであることを特徴とする請求項１から３の何れか一項記載の遊技装置。
【請求項５】
遊技機に対応する遊技装置に備えられた遊技価値を受入れ可能な計数受入れ部であり、遊技価値が払出される遊技機の受皿よりも上方に配置される計数受入れ部に載置可能な計数補助具であって、
遊技価値を貯留可能な貯留部と、当該計数補助具が前記計数受入れ部に載置された場合に、その貯留部の遊技価値を排出するために開放状態となることが可能なシャッタと、を備え、
当該シャッタを閉鎖状態として持ち運び可能である計数補助具。
【発明の詳細な説明】
【技術分野】
【０００１】
本発明は、遊技装置及び計数補助具に関する。
【背景技術】
【０００２】
スロットマシン等の遊技機が設けられる遊技場では、例えば特許文献１に記載のように、各遊技機に対応して計数機能を有した遊技装置、所謂各台計数機を設けることで、従業員が遊技価値を島端計数機まで運搬する労力を軽減出来、このような遊技装置を採用する遊技場も少なくない。
【０００３】
ここで、遊技機において遊技価値が払出される受皿は、その遊技機の下方に設けられるため、例えば特許文献１の図２のように遊技装置において遊技価値を受付ける計数メダル受皿部のような計数受入れ部は遊技機の受皿より上方に配置されることになる。よって、遊技者は、遊技機の受皿に払出された遊技価値を、遊技装置の計数受入れ部へ運ぶ必要がある。
【先行技術文献】
【特許文献】
【０００４】
【特許文献１】特開２０１４−３６８３１号公報
【発明の概要】
【発明が解決しようとする課題】
【０００５】
しかしながら、遊技装置は、遊技機間に設けられることから計数受入れ部も小さな開口しか確保できず、その小さな開口に合せて少量の遊技価値を何度も運ぶ作業が必要となり、この作業を煩わしく思う遊技者も少なくない。
【０００６】
本発明は、上記した事情に鑑みてなされたもので、その目的は、遊技機の受皿に払出された遊技価値を計数受入れ部へ運ぶ煩わしさを軽減する遊技装置及び計数補助具を提供することにある。
【課題を解決するための手段】
【０００７】
計数受入れ部に載置された場合に貯留される遊技価値を排出するために開放状態となることが可能なシャッタを備える一方、シャッタを閉鎖状態として持ち運び可能である計数補助具により、遊技機の受皿よりも計数受入れ部が上方に配置されても、計数補助具を受皿近辺に持ち運び、その遊技価値を貯留して計数受入れ部に載置すれば遊技価値を計数受入れ部にて受入れられるようになり、遊技価値を計数受入れ部へ運ぶ煩わしさを軽減できる。
【図面の簡単な説明】
【０００８】
【図１】本発明の第１実施形態を示す全体構成図
【図２】遊技機及び遊技装置の正面図
【図３】遊技機の役と出率との関係を示す図
【図４】計数受入れ部の近傍部分の斜視図
【図５】計数受入れ部の近傍部分の分解斜視図
【図６】計数補助具の斜視図
【図７】計数補助具の分解斜視図
【図８】（ａ）及び（ｂ）は、計数受入れ部における計数補助具を開放状態及び閉鎖状態で示す斜視図
【図９】遊技機下部における受皿のメダルを計数補助具ですくうときの使用例を説明するための図
【図１０】第２実施形態の計数補助具と計数受入れ部を示す斜視図
【発明を実施するための形態】
【０００９】
以下、本発明の第１実施形態について図１から図９を参照して説明する。
図１は、遊技場用システムの全体構成を概略的に示している。遊技場には、多数の遊技機（例えば同図１に示すスロットマシン）１が設置されており、各遊技機１に対応して遊技装置２が設置されている。遊技機１及び遊技装置２は、夫々２台ずつ１台の中継装置３に接続されており、中継装置３はＬＡＮ４を介して管理装置５に接続されている。ＬＡＮ４には、景品交換処理を行うＰＯＳ等の周辺機器が管理装置５と通信可能に接続されている。管理装置５は、遊技場内の例えば管理室に設置されており、キーボード５ａ、モニタ５ｂやプリンタ（図示略）等を備えている。管理装置５は、遊技機側（遊技機１、遊技装置２等）の機器や、ＰＯＳ等の周辺機器から送信される遊技信号を受信することにより、各種遊技情報を管理する。
【００１０】
尚、図１では省略しているが、数百台の遊技機１が管理装置５の管理対象となっている。また、上記したように遊技機１がスロットマシンの場合、その遊技価値（遊技媒体）はメダルであり、遊技機がパチンコ機であれば、遊技価値はパチンコ玉である。
【００１１】
図２に示すように、遊技機１は、表示窓８を介して視認可能なリール９、有効化された入賞ラインを示す有効ライン表示部１０、クレジットメダルの投入を行うクレジット釦１１、クレジットメダルの精算を行う精算釦１２、メダルを投入するメダル投入口１３、スタートレバー１４及び左ストップ釦１５、中ストップ釦１６、右ストップ釦１７、払出数表示部１８、クレジット数表示部１９、受皿２０等を備えている。
【００１２】
遊技機１は、メダルが投入された状態でスタートレバー１４が操作されると（ゲーム開始操作が行われると）、発生する乱数の中から１つの乱数を抽出して内部抽選を実行し、内部当選役がある場合には当該内部当選役に対応するフラグを成立させると共に、各リール９を始動（回転）させ、この状態で各ストップ釦１５〜１７が操作されると、対応するリール９の回転を停止させる。続いて、内部当選役のフラグに応じて各リール９の停止位置を決定するための図示しない停止テーブルに基づいて、所謂引込制御（すべり制御）を含む停止制御（各リール９を内部当選役フラグの種類に応じた入賞図柄又はハズレ図柄で停止表示させる制御）を実行する。引込制御は、各ストップ釦１５〜１７の操作を検出した時点から予め規定された引込範囲（最大で４図柄まで）にある図柄を入賞ライン上に引込んで停止させることが可能な制御である。
【００１３】
遊技機１には、所謂ボーナス役としてのＢＢ（ビッグボーナス）役及びＲＢ（レギュラーボーナス）役、小役及びリプレイ役が設けられている。遊技機１には、図２に示すように、合計５本（表示窓８の上段、中段、下段に対応した横方向に１本ずつの３本及び斜め方向の２本）の有効ラインが設けられている。遊技者によるストップ釦１５〜１７の操作によってこれらの有効ラインのうち何れかの有効ライン上に内部当選役に対応する図柄が揃ったとき、つまり有効ライン上に停止表示された図柄の組合せが内部当選役に対応する図柄の組合せと一致したとき、入賞となる。入賞となった場合には、ＢＢ状態やＲＢ状態の発生、或いは、対応する枚数のコインの払い出し（遊技価値の付与）が行われる。例えば、ＢＢ、ＲＢ図柄が揃ったときは各々ＢＢ状態、ＲＢ状態に移行し、ＢＢ、ＲＢ中は小役の入賞率が高まる。こうしたＢＢ状態やＲＢ状態は、所定の払出枚数に達すると終了する。
【００１４】
遊技機１は、設定値を変更することによりＢＢ役及びＲＢ役の内部当選確率を変更可能となっている。この設定値は、図３に例示するように１〜６の６段階設けられている。この設定値は遊技場の管理者により何れか１つが選択されて使用される。各設定値には、夫々理論上の出率（出玉率）が対応付けられており、この出率は、上記したボーナス役の内部当選確率により調節される。つまり、遊技機１では、設定値が大きいほどボーナス役当選確率が高くなり、それに伴って理論上の出率が大きくなる。尚、小役確率については全設定共通であるが、異なっていてもよい。
【００１５】
上記した遊技機１の設定値(モード）を変更するには、電源スイッチにて遊技機１を電源ＯＦＦし、設定キーにて設定モード切替部（何れも図示略）を「遊技」→「設定」とする切替えを行い、電源ＯＮすると設定変更可能状態へと移行する。設定変更可能状態では、クレジット数表示部１９にて設定値を表示し、その表示は、図示しない設定ボタンの操作に応じて順に切り替わる。変更したい設定値が表示されているときにスタートレバー１４を操作すると設定値が確定する。
【００１６】
遊技機１からは次の信号が出力される。
アウト信号＝遊技機１から出力。開始操作に応じベット状態のメダルを消費したとしてベット状態のメダル数（３枚）分がパルス出力されるので、アウト信号数×１がアウト（消費価値、使用媒体数）となる。尚、リプレイ時にも対応分を出力。
【００１７】
セーフ信号＝遊技機１から出力。入賞に応じてメダルが１枚払出（付与）される毎に１パルス出力されるので、セーフ信号数×１がセーフ（入賞付与価値、払出媒体数）となる。尚、リプレイ役入賞時にも、そのゲームに使用されたメダル分を出力。
【００１８】
Ｂ．ＢまたはＲ．Ｂ信号＝遊技機から出力。対応するボーナス状態（Ｂ．Ｂ、Ｒ．Ｂ）にレベル出力されるので、信号入力期間をボーナス状態として特定。
図２に示す遊技装置２は、ＣＰＵ、ＲＯＭ、ＲＡＭ、Ｉ／Ｏを有するマイクロコンピュータにより構成される制御部（何れも図示略）により動作する。遊技装置２は、貨幣が投入される貨幣投入口２２、メダルを貸し出すための貸出釦２３、図示しないＩＣカードが挿入されるカード挿入口２４、ＩＣカードを発行するための発行釦２５、払出操作用の払出釦２６、この払出釦２６の押下に応じてメダルを遊技機１の受皿２０に払出す払出ノズル２７、従業員がメダルを補給するためのメダル補給扉２８等を備えている。
【００１９】
遊技装置２は、貨幣を受け付け（貨幣受付処理）すると、遊技装置２に入金額が残高に加算して表示され、残高がある状態で遊技者が貸出釦２３を押下（貸出操作、付与操作）すると払出単位（例えば１０００円）分の貸出メダル（対価付与価値）を払出ノズル２７から払い出し（対価付与処理）、その対価分を残高から減算する。尚、貨幣は複数回分の対価付与処理の対応分を受付可能である（例えば１万円まで）。
【００２０】
本実施形態の遊技装置２は、図示しない計数部を搭載した所謂各台計数機能を有する。この遊技装置２は、遊技者が獲得したメダルを、計数受入れ部３０を介して受入れ可能で、係る受入れにより前記計数部で計数して持玉として管理し、その持玉を対価とした払戻処理（価値付与処理）を行った場合はその対価分（払い戻したメダルと同数）を持玉から減算する。そして、残高や持玉が残存する状態で遊技者が発行釦２５を押し下げすると（発行操作を受け付けると）、残高や持玉を特定可能なＩＣカードを発行する。一方、カード挿入口２４にてＩＣカードを受け付けた場合は、そのＩＣカードにより特定される残高や持玉を引継ぐ。尚、以降の説明を含め遊技価値がメダルとなるスロットマシンを例示しているが、説明の都合上、持「玉」等、遊技価値をメダルではなく玉と表現する場合がある。
【００２１】
遊技装置２は中継装置３とのシリアル通信により貨幣受付処理や対価付与処理、価値付与処理、残高、持玉、貸出メダル、払戻数、入金額や計数玉数や、貸出の対価となる売上額、及びＩＣカードの受付や発行処理等の各種情報を特定可能であるが、これらをパルス信号（例えば入金１０００円毎に１パルス、売上１００円毎に１パルス等）にて特定してもよい。
【００２２】
さて、図２に示したように、メダルが払出される遊技機１の受皿２０は、その遊技機１の下方に位置するのに対し、遊技装置２の計数受入れ部３０は、遊技機１の受皿２０よりも上方に配置した位置関係にある。このように、遊技機１に対応する遊技装置２に備えられた計数受入れ部３０（或いは当該遊技装置２）は、遊技機１の側部に並ぶようにして遊技機１，１間に設けられるため、そのスペース上の制約により、計数受入れ部３０の開口も比較的幅狭な大きさとなっている。よって、受皿２０のメダルを前記計数部で計数するには、その幅狭な計数受入れ部３０の開口に合せて少量のメダルを受皿２０から何度も運ぶ作業が必要となり、この作業を煩わしく思う遊技者も少なくない。
【００２３】
そこで、本実施形態の計数受入れ部３０は、メダルを貯留可能な計数補助具５０を載置可能とし、その計数補助具５０を利用して、メダルを受皿２０から計数受入れ部３０へ運ぶ煩わしさを軽減できる構成としている。係る計数受入れ部３０近傍の構成及び計数補助具５０の構成について、図４から図９も参照しながら説明する。尚、図２の紙面に直交する方向を前後方向（紙面手前側を前方）とし、図２の紙面における左右方向を、同図の遊技装置２の左右方向（紙面右側を右方）とする。つまり、遊技装置２を正面から見た場合を基準として方向を規定する。
【００２４】
先ず、図２に示すように、遊技装置２における上下方向中央部分には、前記メダル補給扉２８と計数受入れ部３０とが上下に並ぶようにして配設されている。
メダル補給扉２８は、上端部に錠装置２８ａが設けられるとともに、下端部に図示しない枢支軸（水平軸）を備える。メダル補給扉２８は、従業員がメダルを補給する際のキー（図示略）操作により錠装置２８ａを開錠することで、前記枢支軸を回動中心として、補給口２８ｂからメダルの補給が可能な開位置（図８（ｂ）参照）と、補給口２８ｂを閉鎖した閉位置と（図８（ａ）参照）との間で回動する。
【００２５】
図４及び図５は、メダル補給扉２８の下方に位置する計数受入れ部３０近傍の斜視図及び分解斜視図を示している。計数受入れ部３０は、遊技装置２の前面側のベースプレート３１に対し、例えば合成樹脂材料からなる上下の取付体３２，３３を介して組付けられる。
【００２６】
具体的には、ベースプレート３１は、遊技装置２におけるメダル補給扉２８の下方において、当該装置２前面を覆う矩形板状に形成されている。図５に示すように、ベースプレート３１は、若干上寄りの位置に形成された上側連通孔３１ａと、その連通孔３１ａの直ぐ下側の位置に形成された下側連通孔３１ｂとを有する。上側連通孔３１ａは、メダルを１枚挿通できる程度の幅寸法に設定されており、後面側に突出する連通ダクト３１ａ´が延設されている。この上側連通孔３１ａは、連通ダクト３１ａ´を介して、遊技装置２の内蔵する払出ホッパー（払出部）に連通する払出用の孔である。これに対し、下側連通孔３１ｂは、上側連通孔３１ａに比して幅広な寸法に設定されており、遊技装置２の内蔵する計数部の計数ホッパーに連通する計数用の孔である。
【００２７】
上側取付体３２は、図５に示すように縦長な矩形板状をなす後壁３２ａと、その下半部から前側に張出す枠壁３２ｂ〜３２ｄとを一体に有する。上側取付体３２の後壁３２ａは、ベースプレート３１の上側連通孔３１ａに対応する連通孔３２ｅ１、及び下側連通孔３１ｂに対応する連通孔３２ｅ２を有する。上側取付体３２は、ベースプレート３１の上部に合わせて取付けられたときに、上側の連通孔３１ａ，３２ｅ１が相互に連なるとともに下側の連通孔３１ｂ，３２ｅ２が相互に連なるようになっている。
【００２８】
上側取付体３２の枠壁３２ｂ〜３２ｄは、遊技装置２と同じ幅寸法で対向しつつ前方へ延出する左右の枠壁３２ｂ，３２ｃと、前の枠壁３２ｄとで枠状をなす。左右の枠壁３２ｂ，３２ｃの上縁は、計数受入れ部３０の寸法形状に合わせるように、前の枠壁３２ｄ側に向かって下方へ緩やかに傾斜している。枠壁３２ｂ〜３２ｄの内方は、仕切壁３５により左右に仕切られ、その仕切壁３５右側の連通孔３２ｅ２に通じる計数用の構造と、仕切壁３５左側の連通孔３２ｅ１に通じる底面３５ａがある払出用の構造とを形成している。
【００２９】
即ち、上側取付体３２の枠壁３２ｂ〜３２ｄ内の左側には、後壁３２ａの連通孔３２ｅと、前の枠壁３２ｄの切欠部３２ｆと、を繋ぐ仕切壁３５の底面３５ａが、前方に向かってなだらかに下方へ傾斜している。また、上側取付体３２の前の枠壁３２ｄには、その切欠部３２ｆに合わせて払出ノズル２７が取付けられる（図４参照）。これにより、上側取付体３２は、前記払出部から送出すメダルが、図５の連通孔３１ａ，３２ｅを通して、仕切壁３５左側の底面３５ａを経由した後、前方の切欠部３２ｆから払出ノズル２７を介して流下する、払出通路Ａを形成している。尚、払出通路Ａについて、図５では分解図のため便宜上２つに分けているが、図４の矢印Ａで示すように１つの払出用の通路を形成する。前記払出しホッパーを含む払出部は、前記貸出操作による貸出処理（或いは前記持玉を対価とした再プレイ処理等）に伴い、払出通路Ａを介して払出ノズル２７からメダルを払出す払出手段に相当する。
【００３０】
一方、計数受入れ部３０から投入するメダルは、上側取付体３２右側の連通孔３２ｅ２を介して、ベースプレート３１の下側連通孔３１ｂから計数部に流入する計数通路Ｂを形成している。この計数通路Ｂについても、図５では２つに分けているが、図４の矢印Ｂで示すように１つの計数用の通路を形成する。
【００３１】
また、図５に示す下側取付体３３は、その上半部にて上方に向かうにつれ前方へ膨らむように膨出した膨出部３３ａと、下半部にて板状をなす後壁３３ｂとを一体に有する。下側取付体３３は、ベースプレート３１において、上側取付体３２の下側に膨出部３３ａが連なるようにして取付けられる。
【００３２】
計数受入れ部３０は例えば合成樹脂材料からなり、その全体形状は上記した取付体３２，３３の払出通路Ａ及び計数通路Ｂの形状に対応した漏斗状をなす。具体的には図５に示すように、計数受入れ部３０は、上側取付体３２の枠壁３２ｂ〜３２ｄに上側から被さる周壁３０ｂ〜３０ｄ及び後壁３０ａと、その内側の斜面３６ａ〜３６ｃとの一体形成により、上面側が開口し且つ下端に開口３６ｄを有する漏斗部３６が形成されている。
【００３３】
ここで、漏斗部３６の左側において、第１斜面３６ａは、左壁３０ｂ上端から右方（内方）に向かって下方へ傾斜し、その後部の第２斜面３６ｂは、後壁３０ａ上端から前方に向かって下方へ傾斜する。これにより、計数受入れ部３０は、その少なくとも一部（左部の斜面３６ａ，３６ｂや周壁３０ｂ，３０ｄ等）の形状が、上側取付体３２の左部及び払出ノズル２７の基端部といった払出通路Ａの形状に対応しており、その斜面３６ａ，３６ｂは、当該払出通路Ａの底面３５ａに対して天井部となる。つまり、ベースプレート３１、取付体３２，３３及び計数受入れ部３０は、それら部品３０〜３３が遊技装置２に組付けられて、払出通路Ａ及び計数通路Ｂの共通部品となる組立体にあって、計数受入れ部３０の一部の斜面３６ａ，３６ｂは、払出通路Ａのスペースを確保した形状となっている。
【００３４】
また、漏斗部３６の右側において、主面となる第３斜面３６ｃは、前壁３０ｄ上端から後方に向かって下方へ傾斜し、後壁３０ａ下端に形成された開口（計数口）３６ｄを、上側取付体３２の連通孔３２ｅ２に対応する最深部としている。こうして、計数受入れ部３０において、漏斗部３６の斜面３６ａ〜３６ｃ（計数斜面）は、上面側から投入されるメダルが計数口３６ｄへと滑り落ちるような斜面形成となっており、当該滑り落ちたメダルは、計数口３６ｄから取付体３２の連通孔３２ｅ２（つまり計数通路Ｂ側）へと受入れ、前記計数部で計数可能としている。
【００３５】
そして、上記した計数受入れ部３０には、その右側の斜面３６ｃ上に位置して、計数補助具５０が載置される（図８参照）。ここで、図６（ａ）及び（ｂ）は、計数補助具５０をそのシャッタ５２の閉鎖状態及び開放状態で示す斜視図であり、図７は、当該計数補助具５０の分解斜視図を示している。同図６、図７に示すように、計数補助具５０は、その内部にメダルを貯留可能とする一方、計数受入れ部３０の斜面３６ａ〜３６ｃの段差に対応した形状となっている。
【００３６】
詳細には、計数補助具５０の本体筒５１は、例えば合成樹脂材料からなり（金属材料でもよい）、上方が開口した有底矩形筒状に形成されている。つまり、本体筒５１は、その長手方向（図７の上下方向）から見て矩形状をなし、前後左右の側壁５１ａ〜５１ｄと底壁５１ｅとを一体に有する。本体筒５１の左壁５１ｂには、計数受入れ部３０（漏斗部３６）左側の第１斜面３６ａと第２斜面３６ｂとに対応する、第１傾斜５４ａと第２傾斜５４ｂとを境に、その下側を若干窪ませるようにして段落ち部５４が形成されている。また、本体筒５１の下端部（底壁５１ｅを含む）は、計数受入れ部３０の斜面３６ｃに合わせて、メダルが後方へ滑り落ちる傾斜状をなしている。こうして、計数補助具５０の本体筒５１は、計数受入れ部３０に載置された場合に、当該計数受入れ部３０に近接する当該本体筒５１における底壁５１ｅや段落ち部５４といった下部側の箇所５１ｅ，５４が、当該計数受入れ部３０の形状に対応している。
【００３７】
また、図７に示すように、計数補助具５０の本体筒５１には、その下端部に位置して後壁５１ａに排出口５５が形成されるとともに、その上端部に位置して右壁５１ｃ後側にスリット５６が形成されている。本体筒５１の排出口５５は、計数受入れ部３０の計数口３６ｄに臨むようにして切り欠いた開口である。本体筒５１のスリット５６は、上下方向に延びる細溝状をなしており、以下に説明するシャッタ５２の操作部５２ａが挿通される。
【００３８】
シャッタ５２は、本体筒５１にメダルが貯留された状態で計数受入れ部３０に当該計数補助具５０が載置された場合に、そのメダルを排出するために開放状態となることが可能である。このシャッタ５２は、比較的剛性の高い材料からなり、全体として逆「Ｌ」字状をなす薄板状のシャッタ本体５２ｂと操作部５２ａとを有する。シャッタ本体５２ｂは上下方向に延び、操作部５２ａは、シャッタ本体５２ｂ上端から右方向に延びるように形成されている。尚、シャッタ５２の材料は、剛性の高い上記樹脂材料でもよいし、金属材料でもよい。
【００３９】
シャッタ本体５２ｂは、本体筒５１の排出口５５と同じ幅寸法に設定され、操作部５２ａは、スリット５６に比して幅狭な幅寸法に設定されてスリット５６に差し込まれる。これにより、シャッタ５２は、操作部５２ａが本体筒５１の外側（右側）に突出し、シャッタ本体５２ｂの下端部が排出口５５の閉鎖を可能とする。こうして、シャッタ５２は、その操作部５２ａを手指で摘んで上下に移動させることにより、シャッタ本体５２ｂで排出口５５を閉鎖する閉鎖位置（図６（ａ）参照）と、排出口５５を開放する開放位置（図６（ｂ）参照）との間でスライド移動する。
【００４０】
本体筒５１の内部には、その後壁５１ａ側にて上記したシャッタ５２を覆うカバー５３が配設されている。カバー５３は、シャッタ５２をスライド移動が可能に保持するとともに、スリット５６側へのメダルの移動を阻止するようにカバーする。即ち、カバー５３は、本体筒５１の後壁５１ａ（排出口５５）に対応する切欠き５３ａを有し、その後壁５１ａに対し、シャッタ５２を挟んで取付け固定される。
【００４１】
この場合、カバー５３は、図７に破線で示すように、その後面側（固定側）で接着する接着部５３ｃ，５３ｄと、シャッタ５２のスライド移動を許容する窪み部５３ｂとを有する。例えば、カバー５３は、接着部５３ｃ，５３ｄの接着剤層の厚みにより、その厚みに比して薄くなる窪み部５３ｂを、シャッタ本体５２ｂと操作部５２ａの可動範囲に合わせて形成している。尚、カバー５３の本体筒５１に対する固定手段は、接着剤に限らず、粘着剤を用いる等、適宜変更してもよい。
【００４２】
こうして、計数補助具５０は、シャッタ５２を閉鎖位置に移動させて閉鎖状態とし、貯留部としての本体筒５１にメダルを貯留して持ち運び可能である。また、計数補助具５０において、カバー５３はスリット５６よりも内側に位置し、本体筒５１に貯留されたメダルのスリット５６からの排出を抑制する。
【００４３】
更に、上記した計数補助具５０の寸法形状（サイズ）は、遊技機１の受皿２０へ侵入可能なサイズである。具体的には例えば、遊技機１の受皿２０は、前後方向の奥行寸法が７．５ｃｍである。また、図９に示すように、遊技機１本体の張出部分１ａの下端と受皿２０上端との間における、当該受皿２０の開放面側の高さ寸法ｈ１（受皿２０上面側の空き寸法）が、７ｃｍである。
【００４４】
これに対し、計数補助具５０は例えば、幅寸法ｗが６．５ｃｍ、奥行寸法ｄが７ｃｍに設定される（図７、図９参照）。つまり、計数補助具５０の横幅寸法ｗと奥行寸法ｄを、遊技機１の受皿２０の開放面側の高さ寸法ｈ１と奥行寸法よりも少し小さなサイズ（受皿２０の開放面側のサイズ未満のサイズ）にしている。よって、計数補助具５０を、図９に示すように操作部５２ａが上方となるように横向きに倒し、受皿２０の上側に手前から通して、受皿２０のメダルをすくうことができる。尚、図９では、説明の便宜上、横向きにした計数補助具５０を受皿２０の上縁に沿った状態で示しているが、当該計数補助具５０は、その一部を受皿２０の底面と接触可能な程度に侵入させれば、受皿２０内のメダルを容易にすくうことができる。
【００４５】
一方、図５に示すように、計数受入れ部３０は、奥行寸法ｄ０が１０．５ｃｍ、横幅寸法ｗ０が８．５ｃｍに設定されており、その寸法ｄ０，寸法ｗ０は、計数補助具５０の寸法ｄ，ｗに比して大きい。換言すれば、計数補助具５０の寸法ｄ，ｗは、受皿２０のメダルをすくうことも想定しているため、計数受入れ部３０の寸法ｄ０，寸法ｗ０に比して小さい。もっとも、計数補助具５０は、上記した底壁５１ｅや段落ち部５４が、計数受入れ部３０の斜面３６ａ〜３６ｃの段差に合わさるため、計数補助具５０を、安定して当該受入れ部３０の斜面３６ｃに載置することができる。尚、計数補助具５０の高さ寸法ｈについては、図８に示すようにメダル補給扉２８の直ぐ下まで延びる比較的大きい値に設定されている。
【００４６】
続いて、上記構成の作用について説明する。
計数補助具５０は、図８（ｂ）に示すように計数受入れ部３０右側の斜面３６ｃ上の位置であって、計数補助具５０の排出口５５が、計数受入れ部３０の計数口３６ｄに臨む（連なる）位置に載置される。つまり、計数補助具５０は、シャッタ５２が開放状態となった（開放位置に移動した）場合に排出口５５から排出されるメダルが計数受入れ部３０にて受入れられる位置に、シャッタ５２が閉鎖状態のまま（図８（ａ）に示す閉鎖位置のまま）載置可能である。このように、計数補助具５０は、計数受入れ部３０に載置された状態で、補給扉２８の開閉の邪魔にならないことはもとより、操作部５２ａでのシャッタ５２の操作が可能であることは勿論である（図８（ｂ）参照）。
【００４７】
遊技者は、遊技機１での遊技の進行に伴い、受皿２０に溜まったメダルを、計数補助具５０を利用して計数受入れ部３０まで運ぶことができる。この場合、遊技者は、上記した計数受入れ部３０に載置されている閉鎖状態の計数補助具５０を掴んで、図９に示すように横向きに倒して受皿２０の開放面側に侵入させて、受皿２０のメダルを、その計数補助具５０ですくうことができる。
【００４８】
また、この場合、計数補助具５０は、受皿２０でメダルをすくうことを想定した寸法ｄ，ｗではあるが、比較的長尺な構成としているため、その本体筒５１に、比較的多くのメダルをすくって（貯留して）、図８（ａ）に示す閉鎖位置のまま、元の計数受入れ部３０の位置に載置することができる。このとき、計数補助具５０は、その後面側が計数受入れ部３０の後壁３０ａ（或いは上側取付体３２の後壁３２ａ）に沿い、下部側の箇所５１ｅ，５４ａ，５４ｂが計数受入れ部３０の斜面３６ａ〜３６ｃに合わさるため、安定した載置状態が保持される。
【００４９】
そして、遊技者は、操作部５２ａを手指で摘んでシャッタ５２を開放位置に移動させ、図８（ｂ）に示す開放状態とする。このとき、カバー５３の窪み部５３ｂは、シャッタ５２のガイド部として機能し、シャッタ本体５２ｂが窪み部５３ｂに収容される位置まで移動する。これにより、本体筒５１内のメダルは、開放された排出口５５及び計数口３６ｄから流下し、計数通路Ｂを経由して前記計数部へと流入することにより、当該計数部で計数されることとなる。また、シャッタ５２は、カバー５３により窪み部５３ｂでガイドされるため、開放位置と閉鎖位置との間のスライド移動を円滑に行うことができる。
【００５０】
以上説明した第１実施形態によれば、次のような効果を奏する。
計数受入れ部３０に載置された場合に貯留されるメダルを排出するために開放可能なシャッタ５２を備える一方、シャッタ５２を閉鎖して持ち運び可能である計数補助具５０により、遊技機１の受皿２０よりも計数受入れ部３０が上方に配置されても、計数補助具５０を受皿２０近辺に持ち運び、そのメダルを貯留して計数受入れ部３０に載置すればメダルを計数受入れ部３０にて受入れられるようになり、メダルを計数受入れ部３０へ運ぶ煩わしさを軽減できる。
【００５１】
シャッタ５２を閉鎖したまま計数受入れ部３０に載置可能なので、載置された計数補助具５０が計数受入れ部３０の蓋の役目を兼用可能となり、意図しない計数が行われる虞やゴミ等が計数受入れ部３０に落ちる虞等を計数受入れ部３０に計数補助具５０を載置した状態でも軽減できる。
【００５２】
計数補助具５０の形状を払出通路Ａに対応する計数受入れ部３０の形状に対応させたため、遊技機１に対応して設けられることで広いスペースを確保できず、メダルの払出通路Ａにより少なくとも一部の形状を対応させた計数受入れ部３０であっても、適度に近接して計数補助具５０を載置可能となり、計数補助具５０から排出されるメダルにより計数受入れ部３０が損傷する虞を軽減できる。
【００５３】
計数補助具５０を遊技機１の受皿２０に侵入可能なサイズとしたため、遊技機１の受皿２０のメダルを計数補助具５０にてすくうような遊技者の作業をサポートでき、メダルを計数受入れ部３０へ運ぶ煩わしさを更に軽減できる。
【００５４】
（その他の実施形態）
第２実施形態について図１０を参照して説明する。尚、上記第１実施形態と実質的に同一の構成部位には同一の符号を付す等して説明を省略し、相違点について説明する。
【００５５】
図１０（ｂ）に示すように、本第２実施形態の計数受入れ部３０´は、その右壁３０ｃ´を後端側に向かうにつれ高くなる傾斜状にするとともに、当該右壁３０ｃ´の後端と後壁３２ａとの間に、操作部５２ａを係止する嵌合溝（係止部）３０ｅが形成されている。
【００５６】
一方、計数補助具６０において、シャッタ５２´はその操作部５２ａの位置が、第１実施形態での操作部５２ａの位置よりも下方となるよう、シャッタ本体５２ｂ´を短くしている。また、計数補助具６０は、係るシャッタ５２´の可動範囲に対応させて、カバー５３の窪み部５３ｂ´と操作部５２ａ用のスリット５６´とを下方へずらした構成としている。これにより、計数補助具６０は、計数受入れ部３０´に載置される際に、操作部５２ａが嵌合溝３０ｅに嵌り込んで係止されることに伴い、シャッタ５２´が相対的に上方へスライド移動して、開放状態となる（図１０（ｂ）参照）。
【００５７】
また、詳しい図示は省略するが、計数補助具６０の本体筒５１は、シャッタ５２´を常には下方へ付勢する付勢手段（例えば引張りコイルバネ６１）を備える。例えば、引張りコイルバネ６１は、カバー５３で覆われるシャッタ本体５２ｂ´の右隣りに位置して、当該バネ６１の一端６１ａが操作部５２ａに掛止され、他端６１ｂがカバー５３の下部に掛止されている。このため、図１０（ａ）に示すように計数補助具６０を持ち上げると、操作部５２ａが嵌合溝３０ｅから外れることに伴い、当該バネ６１の付勢力によりシャッタ５２´が閉鎖状態となる。このように、計数補助具６０は、操作部５２ａが操作されなくても、受皿２０へと持ち運ぶ時には自動的に閉鎖状態となる。また、計数補助具６０は、本体筒５１にメダルを貯留して計数受入れ部３０´に載置すれば、操作部５２ａが嵌合溝３０ｅに係止されて開放状態となる。このため、計数補助具６０は、操作部５２ａが操作されなくても、その貯留したメダルを、排出口５５及び計数口３６ｄから計数通路Ｂ側へと自動的に流下させることができ、以って前記計数部で計数させるときの遊技者の手間を極力省くことができる。
【００５８】
以上のように、本第２実施形態の計数補助具６０にあっては、操作部５２ａを操作する必要性が低いため、計数受入れ部３０´の一部に接触可能な操作部であれば、その操作部は、シャッタ５２´の操作が不能になる程度に外側への突出長を小さくすることができる（或いは失くしてもよい）。この場合の操作部も、計数補助具６０の載置に合わせてシャッタ５２´を開放位置へと連動させる連動手段となる。
【００５９】
本第２実施形態のカバー５３は、第１実施形態と同様、本体筒５１の内壁面に設けたが、シャッタ５２´とともに本体筒５１の外壁面（例えば後壁５１ａの後面）に設けるようにしてもよい。つまり、本体筒５１の外壁面のうち、後面側にシャッタ５２´と前記バネ６１を覆うカバーを設け、操作部５２ａ用のスリット５６´を省略してもよい。また、バネ６１等の付勢手段や、シャッタ５２´用の係止部は、第１実施形態と同様、省略してもよい。
【００６０】
本発明は、上記実施形態に限定されることなく、又、次のように変形又は拡張したり、例示した構成の一部を変更し、或いは変形例を含む例示した構成をどのように組合わせてもよいし、適宜構成を除外してもよい。
計数補助具５０，６０を、計数受入れ部３０，３０´の形状に合わせて有底矩形筒状乃至直方体状に形成したが、有底円筒状乃至円柱状に形成する等、どのような形状を採用してもよい。
【００６１】
計数補助具５０，６０の上面開口側に、シャッタ５２，５２´とは別個のシャッタを設けて、計数補助具５０，６０に意図しないゴミ等が侵入する虞を軽減してもよい。係るシャッタ５２，５２´並びに別個のシャッタは、操作部５２ａのような取っ手部（或いは摘み部）に代えて、ソレノイド等のアクチュエータを用いて釦操作によりスライド移動させてもよい。つまり、計数補助具において、シャッタを閉鎖状態と開放状態とに切換えるアクチュエータ並びにその操作用の釦を設け、そのアクチュエータを動作させるための電力供給を、計数受入れ部に当該計数補助具を載置したときに行う手段（例えば載置面における電力供給用の端子）を配設し、或いは、当該計数補助具に、その電力供給用の電池等を内蔵した構成にしてもよい。また、計数補助具を持ち運びし易いように計数補助具本体（本体筒５１）に取っ手を設けてもよく、この場合、遊技機１の受皿２０でメダルをすくい易いように、本体筒５１の右壁５１ｃ側の取っ手とすることが望ましい。
【００６２】
計数補助具５０，６０の排出口５５を計数受入れ部３０，３０´の計数口３６ｄに対応させて後壁５１ａ（側面）に設けることを例示したが、計数口３６ｄが計数受入れ部３０，３０´の斜面３６ｃ（底面）側にある場合、或いは計数補助具５０，６０の底壁５１ｅの形状を、計数受入れ部３０，３０´の底面に対応させず、計数補助具の底壁５１ｅと計数受入れ部３０，３０´の底面とに隙間を設ける形状とした場合等には、排出口５５を底壁５１ｅ等に設けてもよい。尚、計数補助具の底壁５１ｅの形状を計数受入れ部３０，３０´の底面に対応させない場合、排出口５５から排出されたメダルが、その隙間の分だけ落下することで、当該底面近傍が損傷する虞があるため望ましくはない。
【００６３】
遊技機１は、所謂ＡＲＴ等のボーナスとは異なる特別状態が発生する他の機種のスロットマシンを対象としてもよいし、遊技機の受皿が遊技装置の計数受入れ部よりも下側にあれば、パチンコ遊技機を対象とする等、どのような遊技機を対象としてもよい。
【００６４】
上記した各種の遊技情報は、管理装置５等の入力機器において、入力した信号により直接的に特定しても演算式を利用して間接的に特定してもよい。
また、上記した数値、桁数、項目等は例示であり、どのような数値を採用してもよい。以下と未満についてはどちらを採用してもよく、「達していない」等の表現は以下或いは未満となった場合のいずれにも対応する表現となる。以上と超過についても同様で、「達している」等の表現は双方に対応する表現となる。
【符号の説明】
【００６５】
図面中、１は遊技機、２は遊技装置、２０は受皿、３０，３０´は計数受入れ部、５１は本体筒（貯留部）、Ａは払出通路、である。
【図１】
2018201861.tif 000003
【図２】
2018201861.tif 000004
【図３】
2018201861.tif 000005
【図４】
2018201861.tif 000006
【図５】
2018201861.tif 000007
【図６】
2018201861.tif 000008
【図７】
2018201861.tif 000009
【図８】
2018201861.tif 000010
【図９】
2018201861.tif 000011
【図１０】
2018201861.tif 000012